(57)【要約】【課題】構成簡素且つ確実に防水可能なポンプ装置の取付構造を提供すること。【解決手段】ポンプ装置３のハウジング７は、タンクの内側に配置されるインサイドハウジング８とタンクの外側に配置されるアウトサイドハウジング９とからなる。ポンプ装置３は、取付孔５に挿入取着されたグロメット２０内にその軸線方向に沿って挿入され、ハウジング７の一部がタンクの内側に配置されるとともに、インサイドハウジング８とアウトサイドハウジング９との合わせ面Ｌ０が、グロメット２０の装着範囲Ｗ０内に配置されるよう取付孔５に取り付けられる。【選択図】  図４
2004324528.tif 000002
【特許請求の範囲】
【請求項１】
液体が貯留されるタンクの側壁に形成された取付孔に前記タンク内の液体を外部に圧送するポンプ装置を、グロメットを介して取り付けるポンプ装置の取付構造であって、
前記ポンプ装置は、前記タンクの内側に配置されるインサイドハウジングと前記タンクの外側に配置されるアウトサイドハウジングとからなるハウジングを備え、前記取付孔に挿入取着された前記グロメット内にその軸線方向に沿って挿入されることにより前記ハウジングの一部が前記タンクの内側に配置されるとともに、前記インサイドハウジングと前記アウトサイドハウジングとの合わせ面が、前記グロメットの装着範囲内に配置されること、を特徴とするポンプ装置の取付構造。
【請求項２】
請求項１に記載のポンプ装置の取付構造において、
前記グロメットのタンク外側端部にはグロメットストッパが形成されるとともに、前記アウトサイドハウジングにはポンプストッパが形成され、該ポンプストッパは、前記合わせ面から前記グロメットストッパとの当接面までの距離が前記グロメットストッパの軸線方向の長さよりも短くなるよう設定配置されること、を特徴とするポンプ装置の取付構造。
【請求項３】
液体が貯留されるタンクの側壁に形成された取付孔にグロメットを介して取り付けられ、前記タンク内の液体を外部に圧送するポンプ装置であって、
前記タンクの内側に配置されるインサイドハウジングと前記タンクの外側に配置されるアウトサイドハウジングとからなるハウジングを備え、
前記アウトサイドハウジングには、前記グロメットのタンク外側端部に形成され前記側壁と前記ハウジングとの間に介在されるグロメットストッパと当接するポンプストッパが形成され、
前記インサイドハウジングと前記アウトサイドハウジングとの合わせ面が、前記グロメットの装着範囲内に形成されたこと、を特徴とするポンプ装置。
【請求項４】
請求項３に記載のポンプ装置において、
前記ポンプストッパと前記グロメットストッパとの当接面から前記合わせ面までの距離が、前記グロメットストッパの軸線方向の長さよりも短くなるよう設定されたこと、を特徴とするポンプ装置。
【請求項５】
請求項３又は請求項４に記載のポンプ装置において、
前記インサイドハウジングには、前記タンクのタンク内側壁面に対応する位置にシール突起が形成されること、を特徴とするポンプ装置。
【請求項６】
請求項３〜請求項５のうちの何れか一項に記載のポンプ装置において、
前記ハウジングは、前記インサイドハウジングと前記アウトサイドハウジングとが印籠結合されてなること、を特徴とするポンプ装置。
【発明の詳細な説明】
【０００１】
【発明の属する技術分野】
本発明は、ポンプ装置の取付構造及びポンプ装置に関するものである。
【０００２】
【従来の技術】
車両等のウォッシャ装置には、ポンプ装置の取付構造として、タンクに形成された取付孔にポンプ装置をその軸線方向に沿って挿入することによりハウジングの一部がタンク内に配置されるよう取付孔に取り付ける、所謂インタンク取付型の取付構造を採用するものがある。
【０００３】
通常、ポンプ装置は、ハウジングとポンプキャップとからなり、ハウジングとポンプキャップとの合わせ面がタンク外部に位置するよう取付孔に取り付けられ、取付孔とハウジングとの間はグロメットにてシールされる。そのため、タンク内の洗浄水がこの合わせ面からポンプ装置内部に侵入する可能性は少ない。しかし、ポンプ装置のタンク外部に配置される部分が被水した場合（外部被水時）には、この合わせ面から浸水するおそれがある。そこで、従来、ハウジングとポンプキャップとの間にはＯリングを配設し、合わせ面にてＯリングを挟持することにより、外部被水時における合わせ面からの浸水を防止していた（特許文献１参照）。
【０００４】
【特許文献１】
特開２００３−１０６２６３号公報
【０００５】
【発明が解決しようとする課題】
しかし、近年、車両においては装置・部品の小型化が強く求められており、ポンプ装置においては、ハウジングとポンプキャップとの間にＯリングを配設するための十分なスペースを確保できないという問題がある。また、Ｏリングを配設する分だけ部品点数が増加し高コスト化の要因となるとともに、組付け工程も煩雑となり作業効率が低いという問題がある。
【０００６】
本発明は、上記問題を解決するためになされたものであって、その目的は、構成簡素且つ確実に防水可能なポンプ装置の取付構造及びポンプ装置を提供することにある。
【０００７】
【課題を解決するための手段】
上記問題点を解決するために、請求項１に記載の発明は、液体が貯留されるタンクの側壁に形成された取付孔に前記タンク内の液体を外部に圧送するポンプ装置をグロメットを介して取り付けるポンプ装置の取付構造であって、前記ポンプ装置は、前記タンクの内側に配置されるインサイドハウジングと前記タンクの外側に配置されるアウトサイドハウジングとからなるハウジングを備え、前記取付孔に挿入取着された前記グロメット内にその軸線方向に沿って挿入されることにより前記ハウジングの一部が前記タンクの内側に配置されるとともに、前記インサイドハウジングと前記アウトサイドハウジングとの合わせ面が、前記グロメットの装着範囲内に配置されることを要旨とする。
【０００８】
請求項２に記載の発明は、前記グロメットのタンク外側端部にはグロメットストッパが形成されるとともに、前記アウトサイドハウジングにはポンプストッパが形成され、該ポンプストッパは、前記合わせ面から前記グロメットストッパとの当接面までの距離が前記グロメットストッパの軸線方向の長さよりも短くなるよう設定配置されることを要旨とする。
【０００９】
請求項３に記載の発明は、液体が貯留されるタンクの側壁に形成された取付孔にグロメットを介して取り付けられ、前記タンク内の液体を外部に圧送するポンプ装置であって、前記タンクの内側に配置されるインサイドハウジングと前記タンクの外側に配置されるアウトサイドハウジングとからなるハウジングを備え、前記アウトサイドハウジングには、前記グロメットのタンク外側端部に形成され前記側壁と前記ハウジングとの間に介在されるグロメットストッパと当接するポンプストッパが形成され、前記インサイドハウジングと前記アウトサイドハウジングとの合わせ面が、前記グロメットの装着範囲内に形成されたことを要旨とする。
【００１０】
請求項４に記載の発明は、前記ポンプストッパと前記グロメットストッパとの当接面から前記合わせ面までの距離が、前記グロメットストッパの軸線方向の長さよりも短くなるよう設定されたことを要旨とする。
【００１１】
請求項５に記載の発明は、前記インサイドハウジングには、前記タンクのタンク内側壁面に対応する位置にシール突起が形成されることを要旨とする。
請求項６に記載の発明は、前記ハウジングは、前記インサイドハウジングと前記アウトサイドハウジングとが印籠結合されてなることを要旨とする。
【００１２】
（作用）
請求項１に記載の発明によれば、インサイドハウジングとアウトサイドハウジングとの合わせ面又はその近傍においてハウジングとグロメットとが密着する。従って、ポンプ装置をタンクにシールして保持するグロメットによって、両ハウジングの合わせ面近傍も液密にシールされるので、外部被水による合わせ面からの浸水が防止される。加えて、例えば、合わせ面にＯリングを配設する等の従来のような防水対策が不要となるので構成が簡素になり、低コスト化及び小型化が可能になるとともに組付け工程が単純化される。
【００１３】
請求項２に記載の発明によれば、グロメットはグロメットストッパが取付孔の周縁の側壁に当接することによりその挿入量が規制され、ポンプ装置はポンプストッパがグロメットストッパに当接することによりその挿入量が規制される。そして、合わせ面からグロメットストッパとポンプストッパとの当接面までの距離は、グロメットストッパの軸線方向の長さよりも短く設定されている。
【００１４】
従って、タンクにポンプ装置を組み付ける際には、ポンプストッパがグロメットストッパに当接するまで挿入するだけで、ポンプ装置は、その合わせ面がグロメットストッパの軸線方向範囲内に配置される位置に位置決めされる。その結果、合わせ面が液密にシールされる位置に確実に配置することが可能になり、組付け状態のバラツキが防止されるとともに、組付け工程の作業性が向上する。
【００１５】
請求項３に記載の発明によれば、ポンプ装置は、ポンプストッパがグロメットストッパに当接することによりその挿入量が規制され、インサイドハウジングとアウトサイドハウジングとの合わせ面が、グロメットの装着範囲内に配置される。従って、合わせ面又はその近傍においてハウジングとグロメットとが密着し、合わせ面近傍が液密にシールされるので、外部被水による合わせ面からの浸水が防止される。加えて、例えば、合わせ面にＯリングを配設する等の従来のような防水対策が不要となるので構成が簡素になり、低コスト化及び小型化が可能になるとともに組付け工程が単純化される。
【００１６】
また、ポンプ装置をタンクに組み付ける際には、ポンプストッパがグロメットストッパに当接するまで挿入するだけで確実な位置決めが可能になるので、組付け状態のバラツキが防止されるとともに、取付工程の作業性が向上する。
【００１７】
請求項４に記載の発明によれば、取付状態において、合わせ面は、グロメットストッパの軸線方向範囲内（タンクの外側）に配置される。即ち、合わせ面が液密にシールされる位置に配置されるので、外部被水による合わせ面からの浸水が確実に防止される。
【００１８】
請求項５に記載の発明によれば、シール突起がグロメットの内周面に食い込むので、グロメットの内周面とハウジングの外周面との間がより確実にシールされる。そして、合わせ面は、シール突起よりもタンクの外側、シール面から当接面までのより液密な範囲内に配置されるので、タンク内の洗浄液が合わせ面に至る可能性が一層低減される。その結果、外部被水によるインサイドハウジングとアウトサイドハウジングとの合わせ面からのポンプ装置内部への浸水がより確実に防止される。
【００１９】
請求項６に記載の発明によれば、インサイドハウジングとアウトサイドハウジングとの接合部において、ハウジングの外周面からハウジング内部へ至る被水侵入経路が複雑な迷路構造となるので、ポンプ装置内への浸水がより確実に防止される。
【００２０】
【発明の実施の形態】
以下、本発明を具体化した一実施の形態を図面に従って説明する。
図１及び図２に示すように、ウォッシャ装置１は、液体の洗浄液が貯留されるタンク２と、タンク２内の洗浄液をウォッシャノズル（図示せず）へ圧送するポンプ装置３とを備え、ポンプ装置３は、タンク２の側壁４の底部近傍に形成された取付孔５に取り付けられている。
【００２１】
図３に示すように、ポンプ装置３は、略有底筒形状に形成されたハウジング７を備えており、ハウジング７は、タンク２の内側に配置されるインサイドハウジング８と、タンク２の外側に配置されるアウトサイドハウジング９とから構成されている。
【００２２】
詳述すると、インサイドハウジング８の開口端８ａには、その口縁部内側に立設され軸線方向に延伸された内側立上部８ｂが形成されている。同様に、アウトサイドハウジング９の開口端９ａには、その口縁部外側に立設され軸線方向に延伸された外側立上部９ｂが形成されている。そして、ハウジング７は、インサイドハウジング８の内側立上部８ｂとアウトサイドハウジング９の外側立上部９ｂとが嵌合する、即ち印籠結合にて接続されることにより形成されている。
【００２３】
そして、図２に示すように、ポンプ装置３は、その軸線方向に沿って取付孔５に挿入されることにより、ハウジング７の一部（インサイドハウジング８の大部分）がタンク２の内側に配置されるよう取付孔５に取り付けられている。
【００２４】
図３に示すように、ポンプ装置３は、洗浄液を圧送するためのインペラ１１と、インペラ１１を駆動するモータ１２とを備え、ハウジング７には、インペラ１１を収容するポンプ室１４と、モータ１２を収容するモータ室１５とが設けられている。
【００２５】
ポンプ室１４は、ハウジング７のタンク内端部７ａの近傍に設けられており、タンク内端部７ａには、洗浄液をポンプ室１４内に導入するためのインレット１６が形成されている。
【００２６】
モータ室１５は、ハウジング７の中央に設けられており、その下方にはモータ室１５と並行するように軸線方向（図において左右方向）に沿って延びる流路１７が形成されている。そして、流路１７の一端はポンプ室１４内に開口し、他端はハウジング７のタンク外端部７ｂの近傍に設けられたアウトレット１８（図２参照）と接続されている。また、ハウジング７のタンク外端部７ｂには、給電端子１９が設けられており、モータ１２は、この給電端子１９から駆動電力が供給されることにより回転する。そして、モータ１２に駆動されてインペラ１１が回転することにより、ポンプ室１４内に導入された洗浄液は、流路１７を経てアウトレット１８から吐出され、ウォッシャノズルへと圧送される。
【００２７】
次に、ポンプ装置の取付構造について詳述する。
図２及び図４に示すように、ポンプ装置３は、グロメット２０を介して取付孔５に取り付けられている。グロメット２０は、ゴム材又はエラストマー材（ゴム状弾性ポリマ）にて略筒形状に形成されている。ポンプ装置３は、取付孔５に挿入取着されたグロメット２０内に挿入されることにより取付孔５に取り付けられている。そして、グロメット２０は、取付孔５とポンプ装置３（ハウジング７）との間をシールするとともに、ポンプ装置３を取付孔５に保持している。
【００２８】
図４に示すように、本実施形態では、ポンプ装置３は、インサイドハウジング８とアウトサイドハウジング９との接続部である合わせ面Ｌ０が、グロメット２０の装着範囲Ｗ０内に配置されるよう取付孔５に取り付けられている。より具体的には、ポンプ装置３は、合わせ面Ｌ０が、より液密にシールされる高液密範囲Ｗ１内に配置されように取り付けられている。
【００２９】
詳述すると、グロメット２０のタンク外側端部２０ａには、その外周面から径方向外側に向かって突設されたフランジ状のグロメットストッパ２１が形成されている。そして、グロメット２０は、グロメットストッパ２１のタンク側端部２１ａが取付孔５の周縁のタンク外側壁面４ａに当接することにより、その挿入量が規制されている。また、ポンプ装置３のアウトサイドハウジング９の外周面には、径方向外側に向かって突設されたフランジ状のポンプストッパ２２が形成されている。そして、ポンプ装置３は、このポンプストッパ２２がグロメットストッパ２１のポンプ挿入側端部２１ｂに当接することにより、その挿入量が規制されている。
【００３０】
つまり、ポンプ装置３の取付位置は、タンク側端部２１ａとタンク外側壁面４ａとの当接面である第１当接面Ｌ１からポンプ挿入側端部２１ｂとポンプストッパ２２との当接面である第２当接面Ｌ２までの距離、即ちグロメットストッパ２１の軸線方向の長さＤに依存する。
【００３１】
そして、本実施形態では、ポンプストッパ２２は、合わせ面Ｌ０から第２当接面Ｌ２までの距離Ｘ０がグロメットストッパ２１の軸線方向の長さＤよりも短くなるよう設定配置されている。従って、ポンプ装置３は、合わせ面Ｌ０がグロメットストッパ２１の軸線方向の長さＤの範囲内（タンク２の外側）に配置される位置に位置決めされて取付孔５に取り付けられている。
【００３２】
一方、ポンプ装置３のインサイドハウジング８の外周面には、ポンプ装置３の脱落を防止するための抜止突起２３と、断面山形をなすリング状のシール突起２４とが設けられている。
【００３３】
抜止突起２３は、ポンプ装置３の挿入方向に対し逆方向、即ちアウトサイドハウジング９側に向かって拡開するテーパ面２３ａを有しており、ポンプ装置３の取付状態においてテーパ面２３ａの拡開側端部２３ｂがグロメット２０のタンク内側端部２０ｂ近傍に配置される位置に設けられている。そして、抜止突起２３は、この拡開側端部２３ｂがグロメット２０に食い込むことにより、ポンプ装置３の脱落を防止している。そして、ポンプ装置３は、抜止突起２３の拡開側端部２３ｂが位置する抜止面Ｌ３から第２当接面Ｌ２までの装着範囲Ｗ０においてグロメット２０に保持される。
【００３４】
シール突起２４は、ポンプ装置３の取付状態において、タンク２のタンク内側壁面４ｂに対応する位置に形成されており、グロメット２０の内周面にその先端が食い込むことにより、グロメット２０の内周面とハウジング７の外周面との間をシールしている。そして、シール突起２４が設けられたシール面Ｌ４から第２当接面Ｌ２までの範囲が高液密範囲Ｗ１となる。
【００３５】
ここで、抜止面Ｌ３はシール面Ｌ４よりもタンク２の内側に位置し、第１当接面Ｌ１はシール面Ｌ４よりもタンク２の外側に位置する。そして、合わせ面Ｌ０は、タンク２の外側、即ち第１当接面Ｌ１と第２当接面Ｌ２との間に配置されている。従って、最もタンク２の外側に位置する第２当接面からの距離は、抜止面Ｌ３＞シール面Ｌ４＞合わせ面Ｌ０となる。
【００３６】
従って、ポンプ装置３は、インサイドハウジング８とアウトサイドハウジング９との接続部である合わせ面Ｌ０が装着範囲Ｗ０内に配置される。より詳しくは、合わせ面Ｌ０が高液密範囲Ｗ１内に配置されるよう取付孔５に取り付けられている。
【００３７】
次に、上記詳述した本実施の形態の特徴的な作用効果を以下に記載する。
（１）ポンプ装置３のハウジング７は、タンク２の内側に配置されるインサイドハウジング８とタンク２の外側に配置されるアウトサイドハウジング９とからなる。ポンプ装置３は、取付孔５に挿入取着されたグロメット２０内にその軸線方向に沿って挿入され、ハウジング７の一部がタンク２の内側に配置されるとともに、インサイドハウジング８とアウトサイドハウジング９との合わせ面Ｌ０が、グロメット２０の装着範囲Ｗ０内に配置されるよう取付孔５に取り付けられる。
【００３８】
このような構成とすれば、合わせ面Ｌ０近傍においてハウジング７とグロメット２０とが密着するので、合わせ面Ｌ０近傍を液密にシールすることができる。従って、外部被水による合わせ面Ｌ０からの浸水を確実に防止することができる。加えて、例えば、合わせ面Ｌ０にＯリングを配設する等の従来のような防水対策が不要となるので構成が簡素になり、低コスト化及び小型化を図ることができるとともに、組付け工程を単純化することができる。
【００３９】
（２）グロメット２０のタンク外側端部２０ａには、その外周面から径方向外側に向かって突設されたフランジ状のグロメットストッパ２１が形成されるとともに、ポンプ装置３のアウトサイドハウジング９の外周面には、径方向外側に向かって突設するフランジ状のポンプストッパ２２が形成される。そして、ポンプストッパ２２は、合わせ面Ｌ０から第２当接面Ｌ２までの距離Ｘ０がグロメットストッパ２１の軸線方向の長さＤよりも短くなるよう設定配置されている。
【００４０】
このような構成とすれば、グロメット２０はグロメットストッパ２１のタンク側端部２１ａが取付孔５の周縁のタンク外側壁面４ａに当接することにより、ポンプ装置３はポンプストッパ２２がグロメットストッパ２１のポンプ挿入側端部２１ｂに当接することにより、その挿入量が規制される。そして、合わせ面Ｌ０から第２当接面Ｌ２までの距離Ｘ０は、グロメットストッパ２１の軸線方向の長さＤよりも短く設定されている。
【００４１】
従って、タンク２にポンプ装置３を組み付ける際には、ポンプ装置３をポンプストッパ２２がグロメットストッパ２１のタンク側端部２１ａに当接するまで挿入するだけで、合わせ面Ｌ０がグロメットストッパ２１の軸線方向の長さＤの範囲内に配置される位置に容易に位置決めすることができる。その結果、合わせ面Ｌ０を確実にグロメット２０にて液密にシールされる位置に配置することができ、組付け状態のバラツキを防止することができるとともに、取付工程の作業性を向上させることができる。
【００４２】
（３）インサイドハウジング８の外周面には、ポンプ装置３の取付状態においてタンク２のタンク内側壁面４ｂに対応する位置に、断面山形をなすリング状のシール突起２４を形成する。
【００４３】
このような構成とすれば、シール突起２４の先端がグロメット２０の内周面に食い込むので、より確実にグロメット２０の内周面とハウジング７の外周面との間をシールすることができる。そして、合わせ面Ｌ０は、シール突起２４が設けられたシール面Ｌ４よりもタンク２の外側、シール面Ｌ４から第２当接面Ｌ２までの高液密範囲Ｗ１の範囲内に配置されるので、タンク２内の洗浄液が合わせ面Ｌ０に至る可能性をより一層低減することができる。その結果、外部被水による浸水を防止できることは勿論のこと、ポンプ装置３内への洗浄液の侵入をより確実に防止することができる。
【００４４】
（４）インサイドハウジング８の開口端８ａの口縁部内側には内側立上部８ｂを、アウトサイドハウジング９の開口端９ａの口縁部外側には外側立上部９ｂを形成する。そして、ハウジング７は、インサイドハウジング８とアウトサイドハウジング９とが、これら内側立上部８ｂと外側立上部９ｂとが嵌合される、即ち印籠結合にて接続されることにより形成される。
【００４５】
このような構成とすれば、インサイドハウジング８とアウトサイドハウジング９との接合部において、ハウジング７の外周面からハウジング内部へ至る被水侵入経路が複雑な迷路構造となるので、ポンプ装置３内への浸水をより確実に防止することができる。
【００４６】
なお、上記実施形態は以下のように変更してもよい。
・図５に示すように、高液密範囲Ｗ１において空洞部３１を有するグロメット３０を採用し、ポンプ装置３は、その合わせ面Ｌ０がこの空洞部３１の空洞範囲Ｗ２の範囲内に配置されるよう取付孔５に取り付けてもよい。つまり、合わせ面Ｌ０は必ずしもグロメット３０と密着していなくともよく、合わせ面Ｌ０の前後においてハウジング７とグロメット３０とが密着していればよい。
【００４７】
・本実施形態では、インサイドハウジング８の開口端８ａの口縁部内側には内側立上部８ｂを、アウトサイドハウジング９の開口端９ａの口縁部外側には外側立上部９ｂを形成し、これら内側立上部８ｂと外側立上部９ｂとを嵌合させる、即ち印籠結合にて接続することによりハウジング７を形成した。しかし、これに限らず、インサイドハウジング８の開口端８ａに外側立上部を、アウトサイドハウジング９の開口端９ａに内側立上部を形成し、これらを嵌合させることにより接続してもよい。さらに、印籠結合に限らず、インサイドハウジング８とアウトサイドハウジング９との接合部において、ハウジング７の外周面からハウジング内部へ至る経路が複雑な迷路構造となるものであれば、その接続（結合）構造は、どのような構造であってもよい。
【００４８】
・本実施形態では、グロメット２０は、ゴム材又はエラストマー材により形成されたものを用いたが、その他の弾性材料により形成されたものを用いてもよい。
【００４９】
・本実施形態において、ハウジング７は、略有底筒形状に形成されることとしたが、円筒でもよく、角筒でも良い。また、その他の形状であってもよい。
上記各実施形態から把握できる技術的思想を以下に記載する。
【００５０】
（イ）請求項１又は請求項２に記載のポンプ装置の取付構造において、前記インサイドハウジングには、前記タンクのタンク内側壁面に対応する位置にシール突起が形成されること、を特徴とするポンプ装置の取付構造。
【００５１】
（ロ）請求項１又は請求項２、及び前記（イ）のうちの何れか一項に記載のポンプ装置の取付構造において、前記ハウジングは、前記インサイドハウジングと前記アウトサイドハウジングとが印籠結合されてなること、を特徴とするポンプ装置の取付構造。
【００５２】
（ハ）液体が貯留されるタンクと、該タンクの側壁に形成された取付孔に取り付けられ前記タンク内の液体を外部に圧送するためのポンプ装置と、該ポンプ装置と前記取付孔との間に配設されるグロメットとを備えたウォッシャ装置であって、前記ポンプ装置は、前記タンクの内側に配置されるインサイドハウジングと前記タンクの外側に配置されるアウトサイドハウジングとからなるハウジングを備え、前記取付孔に挿入取着された前記グロメット内にその軸線方向に沿って挿入されることにより前記ハウジングの一部が前記タンクの内側に配置されるとともに、前記インサイドハウジングと前記アウトサイドハウジングとの合わせ面が、前記グロメットの装着範囲内に配置されること、を特徴とするウォッシャ装置。
【００５３】
（ニ）前記（ハ）に記載のウォッシャ装置において、前記グロメットのタンク外側端部にはグロメットストッパが形成されるとともに、前記アウトサイドハウジングにはポンプストッパが形成され、該ポンプストッパは、前記合わせ面から前記グロメットストッパとの当接面までの距離が前記グロメットストッパの軸線方向の長さよりも短くなるよう設定配置されること、を特徴とするウォッシャ装置。
【００５４】
（ホ）前記（ハ）又は（ニ）に記載のウォッシャ装置において、前記インサイドハウジングには、前記タンクのタンク内側壁面に対応する位置にシール突起が形成されること、を特徴とするウォッシャ装置。
【００５５】
（ヘ）前記（ハ）〜（ホ）のうちの何れか一つに記載のウォッシャ装置において、前記ハウジングは、前記インサイドハウジングと前記アウトサイドハウジングとが印籠結合されてなること、を特徴とするウォッシャ装置。
【００５６】
【発明の効果】
以上、詳述したように、本発明によれば、構成簡素且つ確実に防水可能なポンプ装置の取付構造及びポンプ装置を提供することができる。
【図面の簡単な説明】
【図１】ウォッシャ装置の外観図。
【図２】ポンプ装置の取付部分近傍のウォッシャ装置の部分断面図。
【図３】ポンプ装置の断面図。
【図４】ポンプ装置の取付部分近傍の拡大断面図。
【図５】別例のポンプ装置の取付部分近傍の拡大断面図。
【符号の説明】
１…ウォッシャ装置、２…タンク、３…ポンプ装置、４…側壁、４ｂ…タンク内側壁面、５…取付孔、７…ハウジング、８…インサイドハウジング、８ｂ…内側立上部、９…アウトサイドハウジング、９ｂ…外側立上部、２０，３０…グロメット、２０ａ…タンク外側端部、２１…グロメットストッパ、２２…ポンプストッパ、２４…シール突起、Ｄ…長さ、Ｌ０…合わせ面、Ｌ２…第２当接面（当接面）、Ｗ０…装着範囲、距離…Ｘ０。
【図１】
2004324528.tif 000003
【図２】
2004324528.tif 000004
【図３】
2004324528.tif 000005
【図４】
2004324528.tif 000006
【図５】
2004324528.tif 000007